Podtech/llm-jp-corpus-v4-ja_patent huggingface dataset:
【手続補正書】
【提出日】平成30年3月6日(2018.3.6)
【手続補正１】
【補正対象書類名】特許請求の範囲
【補正対象項目名】全文
【補正方法】変更
【補正の内容】
【特許請求の範囲】
【請求項１】
テーブルの姿勢を推定する方法であって、当該方法は、
前記テーブルに隣接するマニピュレータアセンブリに関連したカメラを用いて、前記テーブルのベース上の１つ又は複数のマーカーを読み取るステップと、
前記１つ又は複数のマーカーの読み取りに基づいて、前記マニピュレータアセンブリに対する前記テーブルの共通面上での位置を特定するステップと、を含む、
方法。
【請求項２】
前記１つ又は複数のマーカーは、前記テーブル上の固定位置に１つ又は複数のマーカーを含み、及び、
前記１つ又は複数のマーカーは、前記テーブルに貼り付けられ、前記テーブルに対して特定の向きで選択位置に形成される、又は、
前記１つ又は複数のマーカーは、前記テーブルにエッチング、彫刻、及び／又はエンボス加工をされる、請求項１に記載の方法。
【請求項３】
前記共通面は、前記テーブル及び前記マニピュレータアセンブリが配置された接地面である、請求項１に記載の方法。
【請求項４】
前記テーブルの６自由度の３Ｄ姿勢を、前記共通面上で３自由度の２Ｄ姿勢に変換するステップ、
前記マニピュレータアセンブリに対する前記テーブルの前記ベースの前記共通面上の位置特定に基づいて、前記マニピュレータアセンブリに対する前記テーブルの３Ｄ姿勢を推定するステップ、又は、
前記カメラを用いて取得した可視化画像内の前記テーブルの位置を抽出するステップ、及び前記カメラのカメラビューに対する前記テーブルの表現又は表示を提供するステップ、をさらに含む、請求項１乃至３のいずれか一項に記載の方法。
【請求項５】
前記マーカーの読み取りに基づいて、前記テーブルの型式、モデル、又は製造元を特定するステップをさらに含む、請求項１乃至３のいずれか一項に記載の方法。
【請求項６】
前記１つ又は複数のマーカーの初期読み取り及び該初期読み取りに基づいた位置特定の後に、前記１つ又は複数のマーカーのうちの少なくとも１つを読み取るステップと、
初期の位置特定を更新及び／又は検証するために、前記１つ又は複数のマーカーの後続の読み取りに基づいて、前記マニピュレータアセンブリに対する前記テーブルの前記共通面上での位置を特定するステップと、をさらに含む、請求項１乃至３のいずれか一項に記載の方法。
【請求項７】
遠隔手術システムであって、当該システムは、
マニピュレータアセンブリと、
該マニピュレータアセンブリに近接して配置された手術台であって、１つ又は複数の基準マーカーを有する手術台と、
前記手術台を前記マニピュレータアセンブリに近接して位置付けしたときに、前記手術台の前記１つ又は複数の基準マーカーを読み取るように構成されるセンサと、
前記１つ又は複数の基準マーカーの読み取りに基づいて、前記マニピュレータアセンブリに対する前記手術台の共通面上での位置を特定するように構成されるプロセッサと、を備える、
システム。
【請求項８】
前記センサは、前記マニピュレータアセンブリのカメラを含む、請求項７に記載のシステム。
【請求項９】
前記１つ又は複数の基準マーカーは、バーコード、ＲＦＩＤタグ、ライト、又はこれらの任意の組合せを含む、又は、
前記１つ又は複数の基準マーカーは、前記手術台の選択部分に固定して取り付けられ及び／又は形成される、又は、
前記１つ又は複数の基準マーカーは、前記手術台に対して特定の向きに選択部分及び選択位置に固定して取り付けられ及び／又は形成される、又は、
前記１つ又は複数の基準マーカーは、前記手術台のベースの周りに及び／又は前記手術台の手術台上面の縁部又は側部に沿って延びる１つ又は複数の２Ｄバーコードを含む、請求項７に記載のシステム。
【請求項１０】
前記プロセッサは、
前記マニピュレータアセンブリに関連したカメラを用いて、前記手術台のベース上の前記１つ又は複数の基準マーカーを読み取るようにさらに構成される、請求項７乃至９のいずれか一項に記載のシステム。
【請求項１１】
前記手術台は、６つの自由度に沿って位置付け可能であり、前記プロセッサは、
前記手術台の６自由度の３Ｄ姿勢を、前記共通面上で３自由度の２Ｄ姿勢に変換する、又は、
前記マニピュレータアセンブリに対する前記手術台のベースの前記共通面上での位置特定に基づいて、前記マニピュレータアセンブリに対する前記手術台の３Ｄ姿勢を推定する、ようにさらに構成される、請求項７乃至９のいずれか一項に記載のシステム。
【請求項１２】
前記プロセッサは、
前記センサを用いて取得した可視化画像内の前記手術台の位置を抽出し、
前記センサのカメラビューに対する前記手術台の表現又は表示を提供する、ようにさらに構成される、請求項７乃至９のいずれか一項に記載のシステム。
【請求項１３】
前記プロセッサは、
前記マーカーの読み取りに基づいて、前記手術台の型式、モデル、又は製造元を特定する、又は、
前記手術台と前記マニピュレータアセンブリとの間の互換性の態様をチェックする、又は、
前記マニピュレータアセンブリを前記手術台と一緒に使用するための使用許可を与える、ことの１つ又は複数を行うように構成される、請求項７乃至９のいずれか一項に記載のシステム。
【請求項１４】
手術台あって、当該手術台は、
患者支持面を有する基板と、
該基板を支持する支持構造体であって、前記患者支持面を１つ又は複数の自由度に沿って位置付け可能にするように移動可能である支持構造体と、
１つ又は複数のマーカーであって、該１つ又は複数のマーカーを読み取ることにより、接地面に対する前記手術台の姿勢を決定可能にするような選択位置及び／又は選択向きで前記手術台に配置された１つ又は複数のマーカーと、を有する、
手術台。
【請求項１５】
前記１つ又は複数のマーカーは、前記手術台の前記基板及び／又はベースの外縁又は側部に沿って配置された複数の基準マーカーを含み、
前記複数の基準マーカーの選択された位置及び／又は向きは、前記複数の基準マーカーのうちの少なくとも１つの読み取りにより前記手術台の姿勢を決定可能にするように、予め決定される、請求項１４に記載の手術台。
【手続補正書】
【提出日】平成30年3月15日(2018.3.15)
【手続補正１】
【補正対象書類名】特許請求の範囲
【補正対象項目名】全文
【補正方法】変更
【補正の内容】
【特許請求の範囲】
【請求項１】
手術器具と手術器具マニピュレータとを連結する無菌アダプタであって、
係止機構を含む底部リップによって定められる底部構成部品開口を含む底部構成部品と、
該底部構成部品に回転可能に連結される連結構成部品とを含み、
該連結構成部品は、係合構成と、係止機構開口とを含み、
前記係合構成は、前記手術器具マニピュレータと係合し、
前記係止機構開口は、前記係合構成が前記手術器具マニピュレータと係合していないときに前記係止機構と係合する、
無菌アダプタ。
【請求項２】
前記係止機構は、ボスとして構成される、請求項１に記載の無菌アダプタ。
【請求項３】
前記係止機構は、前記係止機構開口が前記係止機構と係合するときに、前記連結構成部品が１つだけの方向において回転するのを許容する、ラチェットとして構成される、請求項１に記載の無菌アダプタ。
【請求項４】
前記底部リップは、複数の係止機構を含む、請求項１に記載の無菌アダプタ。
【請求項５】
前記連結構成部品は、複数の係止機構開口を含む、請求項４に記載の無菌アダプタ。
【請求項６】
前記複数の係止機構の各１つは、前記複数の係止機構開口の各１つに対応する、請求項５に記載の無菌アダプタ。
【請求項７】
前記底部リップは、キー溝を更に含み、前記連結構成部品は、保持タブと、連結器リップとを更に含み、前記保持タブは、前記連結構成部品が前記底部構成部品開口を通じて進むのを可能にするよう、前記キー溝と整列し、前記保持タブ及び前記連結器リップは、前記保持タブ及び前記キー溝が整列させられないときに、前記連結構成部品を前記底部構成部品開口内に保持するよう、前記底部リップと係合する、請求項１に記載の無菌アダプタ。
【請求項８】
前記係合構成は、進入傾斜路を含む、請求項１に記載の無菌アダプタ。
【請求項９】
手術器具と手術器具マニピュレータとを連結させる無菌アダプタであって、
前記手術器具マニピュレータからの回転的な動きを当該無菌アダプタを通じて前記手術器具に連結する手段と、
前記回転的な動きを連結する手段が前記手術器具マニピュレータと確定的に係合させられないときに、前記回転的な動きを連結する手段の回転を防止する手段とを含む、
無菌アダプタ。
【請求項１０】
前記回転的な動きを連結する手段の回転を防止する手段は、１つだけの方向における回転を防止する、請求項９に記載の無菌アダプタ。
【請求項１１】
前記回転的な動きを連結する手段は、前記回転的な動きを連結する手段の確定的な係合を促進する傾斜路手段を含む、請求項９に記載の無菌アダプタ。
【手続補正書】
【提出日】平成30年3月15日(2018.3.15)
【手続補正１】
【補正対象書類名】特許請求の範囲
【補正対象項目名】全文
【補正方法】変更
【補正の内容】
【特許請求の範囲】
【請求項１】
手術システムのカニューレであって、
磁石位置の配列と、
前記手術システムへの前記カニューレの搭載位置において前記手術システムによって感知されるように前記磁石位置の配列の第１位置に位置付けられる第１磁石と、
前記手術システムへの前記カニューレの搭載位置において前記手術システムによって感知されるように前記磁石位置の配列の第２位置に位置付けられる第２磁石と、を含み、
前記カニューレの前記搭載位置で、前記第１磁石及び前記第２磁石のそれぞれの存在、前記第１磁石及び前記第２磁石のそれぞれの極性、又は、前記第１磁石及び前記第２磁石のそれぞれの存在及び極性が感知され、且つ、
前記第１磁石及び前記第２磁石の存在及び極性は、前記カニューレに関する識別情報を示す、
カニューレ。
【請求項２】
前記カニューレを前記手術システムに搭載するために前記手術システムの一部に係合可能な取り付け部を更に含み、
前記配列は、前記取り付け部に位置付けられる、
請求項１のカニューレ。
【請求項３】
前記取り付け部は、前記手術システムへの前記カニューレの搭載位置で前記手術システムのアームに接続する、
請求項２のカニューレ。
【請求項４】
前記取り付け部は、前記カニューレから側方に延びる、
請求項２又は３のカニューレ。
【請求項５】
前記磁石は、サマリウムコバルト磁石である、
請求項１のカニューレ。
【請求項６】
前記磁石は、前記カニューレの表面に露出する、
請求項１のカニューレ。
【請求項７】
前記磁石は、前記カニューレの一部によって覆われる、
請求項１のカニューレ。
【請求項８】
前記磁石は、前記カニューレに対して密封されるカバー部によって覆われる、
請求項１のカニューレ。
【請求項９】
前記カバー部は、金属で作られている、
請求項８のカニューレ。
【請求項１０】
前記配列は、４つの磁石位置を含む、
請求項１のカニューレ。
【請求項１１】
前記識別情報は、前記カニューレのチューブの長さ、前記チューブの径、前記カニューレの材料、前記チューブが真っ直ぐか或いは湾曲部を含むか、及び、前記カニューレがエンドエフェクタを備えた手術器具用に構成されているか或いは撮像器具用に構成されているか、のうちの少なくとも１つを含む、
請求項１のカニューレ。
【請求項１２】
前記カニューレは、それぞれプラスチック材料で作られている、ボウル部、チューブ、及び、取り付け部を含む、
請求項１のカニューレ。
【請求項１３】
前記磁石は、オーバーモールド、熱かしめ、接着剤接合、又は、前記磁石の上にカバーを取り付けることによって、前記取り付け部のプラスチック材料に取り付けられる、
請求項１２のカニューレ。
【請求項１４】
前記カニューレを前記手術システムに搭載するために前記手術システムの一部に係合可能な取り付け部を更に含み、
前記取り付け部は、前記カニューレから側方に延び、且つ、
前記配列は、前記取り付け部に位置付けられる、
請求項５乃至１３の何れかのカニューレ。
【請求項１５】
遠隔操作手術システムの患者側カートであって：
基部；及び
前記基部に接続されたアーム；を含み、
前記アームは：
カニューレを受けるように構成されたマウント；及び
リーダ；を含み、
前記リーダは、前記マウントに受けられた前記カニューレに関する情報を識別するために前記カニューレにおける識別装置の磁石位置の配列のそれぞれの位置における磁石の存在、極性、又は、存在及び極性を感知するように構成されている、
患者側カート。
【請求項１６】
前記リーダは、複数のセンサグループを含み、
各センサグループは、前記配列における位置に対応するように配置され、
各センサグループは複数のセンサを含む、
請求項１５の患者側カート。
【請求項１７】
各センサグループは、少なくとも１つの存在センサと少なくとも１つの磁石極性センサを含む、
請求項１６の患者側カート。
【請求項１８】
前記存在センサは、全極性センサであり、
各センサグループは：
Ｎ極性磁場を感知するように構成された第１の単極性の極性センサ；及び
Ｓ極性磁場を感知するように構成された第２の単極性の極性センサ；を含む、
請求項１７の患者側カート。
【請求項１９】
各センサグループは、複数の存在センサを含む、
請求項１７の患者側カート。
【請求項２０】
前記リーダは、前記識別装置の磁石の磁極を感知するように構成された全極性の極性センサを含む、
請求項１５の患者側カート。
【請求項２１】
前記リーダは、前記識別装置の磁石の磁場方向を感知するように構成された磁場方向センサを含む、
請求項１５の患者側カート。
【請求項２２】
前記存在センサは、ホール効果装置を含む、
請求項１７乃至１９の何れかの患者側カート。
【手続補正書】
【提出日】平成30年3月8日(2018.3.8)
【手続補正１】
【補正対象書類名】特許請求の範囲
【補正対象項目名】全文
【補正方法】変更
【補正の内容】
【特許請求の範囲】
【請求項１】
方法であって、当該方法は、
駆動入力部に隣接する入力係合部を受け取るステップであって、前記駆動入力部は、作動要素によって駆動され、前記入力係合部は、関節出力部に結合され、該関節出力部は、移動体に接続される、受け取るステップと、
前記作動要素が抵抗トルクを受けるまで、前記作動要素を回転させるステップと、
前記抵抗トルクに基づいて、前記駆動入力部が前記入力係合部と係合したか否かを判定するステップと、含む、
方法。
【請求項２】
前記駆動入力部が前記入力係合部と係合したか否かを判定するステップは、前記抵抗トルクがトルク閾値を超えているか否かを判定するステップを含み、
当該方法は、前記駆動入力部が前記入力係合部と係合される、前記作動要素の角度位置を決定するステップをさらに含む、請求項１に記載の方法。
【請求項３】
前記駆動入力部が前記入力係合部と係合したか否かを判定するステップは、ボスがポケット内に配置されていることを判定するステップを含む、請求項１又は２に記載の方法。
【請求項４】
前記抵抗トルクを受けるまで、前記作動要素を回転させるステップは、前記移動体が物理的な制限部に遭遇したときに前記抵抗トルクを受けるステップを含む、請求項１乃至３のいずれか一項に記載の方法。
【請求項５】
前記駆動入力部が前記入力係合部と係合したか否かを判定するステップは、前記移動体がロール運動で移動したか否かを判定するステップ、又は前記移動体がヨー運動で移動したか否かを判定するステップ、又は前記移動体がピッチ運動で移動したか否かを判定するステップを含む、請求項１に記載の方法。
【請求項６】
前記駆動入力部が前記入力係合部と係合したか否かを判定するステップは、前記移動体の２つの関節接合した部品が移動して閉じた構成になったか否かを判定するステップを含む、請求項１乃至４のいずれか一項に記載の方法。
【請求項７】
システムであって、当該システムは、
医療器具を支持するように構成された器具キャリッジであって、前記医療器具は、作動可能な器具チップ及び該作動可能な器具チップを移動させるように構成された入力係合部を含み、前記器具キャリッジは、前記入力係合部と係合するように構成された駆動結合部、及び該駆動結合部を回転させるように結合されたモータを含む、器具キャリッジと、
制御システムと、を有しており、
該制御システムは、
命令された運動軌道を完了する又は前記モータが抵抗トルクを受けるまで、前記モータを回転させ、
前記抵抗トルクの大きさに基づいて、前記駆動結合部が前記入力係合部と係合したか否かを判定する、ように構成される、
システム。
【請求項８】
前記駆動結合部が前記入力係合部と係合したか否かを判定することは、前記抵抗トルクの大きさがトルク閾値を超えているか否かを判定することを含む、請求項７に記載のシステム。
【請求項９】
前記制御システムは、前記駆動結合部が前記入力係合部と係合する、前記モータの角度位置を決定するようにさらに構成される、請求項７又は８に記載のシステム。
【請求項１０】
前記駆動結合部が前記入力係合部と係合したか否かを判定することは、ボスがポケット内に配置されていることを判定することを含む、請求項７乃至９のいずれか一項に記載のシステム。
【請求項１１】
前記抵抗トルクを受けるまで、前記モータを回転させることは、前記作動可能な器具チップが物理的な制限部に遭遇したときに前記抵抗トルクを受けることを含む、請求項７乃至１０のいずれか一項に記載のシステム。
【請求項１２】
前記物理的な制限部は、前記入力係合部が遭遇する回転停止体である、請求項１１に記載のシステム。
【請求項１３】
前記駆動結合部が前記入力係合部と係合したか否かを判定することは、前記作動可能な器具チップがロール運動で移動したか否かを判定することを含む、請求項７乃至１２のいずれか一項に記載のシステム。
【請求項１４】
前記駆動結合部が前記入力係合部と係合したか否かを判定することは、前記作動可能な器具チップがヨー運動で移動したか否かを判定すること、又は前記作動可能な器具チップがピッチ運動で移動したか否かを判定することを含む、請求項７乃至１３のいずれか一項に記載のシステム。
【請求項１５】
前記駆動結合部が前記入力係合部と係合したか否かを判定することは、前記作動可能な器具チップの２つの関節接合した部品が移動して閉じた構成になったか否かを判定することを含む、請求項７乃至１４のいずれか一項に記載のシステム。
【請求項１６】
前記駆動結合部は、アダプタの回転可能なディスクを含む、請求項７乃至１５のいずれか一項に記載のシステム。
【請求項１７】
器具の係合を確認するための方法であって、当該方法は、
複数の駆動ディスクに隣接する複数の器具ディスクを受け取るステップであって、前記複数の器具ディスクのうちの少なくとも２つは、器具チップをある自由度に沿って移動させるように協働する、受け取るステップと、
前記複数の駆動ディスクに接続された作動要素を用いて、前記複数の駆動ディスクの動作が停止するまで、前記複数の駆動ディスクを駆動するステップと、
前記複数の駆動ディスクのそれぞれが受けるトルク抵抗を決定するステップと、
前記トルク抵抗に基づいて、前記複数の駆動ディスクの係合が成功したか否かを判定するステップと、
前記作動要素の位置を前記器具チップの位置にマッピングするステップと、を含む、
方法。
【手続補正書】
【提出日】平成30年3月14日(2018.3.14)
【手続補正１】
【補正対象書類名】特許請求の範囲
【補正対象項目名】全文
【補正方法】変更
【補正の内容】
【特許請求の範囲】
【請求項１】
遠隔操作手術システムの患者側カートのための手術用ドレープであって、当該手術用ドレープは、
前記患者側カートのアーム又はメインカラムの少なくとも一部を覆うようにサイズ決め及び成形された本体と、
該本体に接続される取付け装置機構であって、該取付け装置機構は、前記アーム又は前記メインカラムの少なくとも一部を前記手術用ドレープで覆うように、前記手術用ドレープを前記アーム又は前記メインカラムに設置するように構成される、取付け装置機構と、含み、
前記アーム又は前記メインカラム上の当該手術用ドレープの設置位置において、前記取付け装置機構は、センサによって検出可能である、
手術用ドレープ。
【請求項２】
前記取付け装置機構は、金属を含む、請求項１に記載の手術用ドレープ。
【請求項３】
前記取付け装置機構は、磁石を含む、請求項１に記載の手術用ドレープ。
【請求項４】
前記センサは、誘導センサを含み、
前記取付け装置機構は、前記誘導センサによって検出可能である、請求項２又は３に記載の手術用ドレープ。
【請求項５】
前記取付け装置機構は、磁石を含み、
前記センサは、誘導センサを含む、請求項１に記載の手術用ドレープ。
【請求項６】
前記本体は、熱可塑性ポリウレタン、超高分子量ポリエチレン、低密度ポリエチレン、及び高密度ポリエチレンのうちの少なくとも１つを含む、請求項１に記載の手術用ドレープ。
【請求項７】
前記本体は、熱可塑性ポリウレタンを含む、請求項１に記載の手術用ドレープ。
【請求項８】
前記本体は、熱可塑性ポリウレタンの単一層を含む、請求項１に記載の手術用ドレープ。
【請求項９】
前記本体は、潤滑性フィラーをさらに含む、請求項６乃至８のいずれか一項に記載の手術用ドレープ。
【請求項１０】
手術用器具に並進運動を提供する、前記患者側カートの前記アームの一部に係合されるように構成されたクリップをさらに含む、請求項１に記載の手術用ドレープ。
【請求項１１】
１つ又は複数の電気ケーブル又はデータケーブルを保持するためのケーブル支持体をさらに含む、請求項１、５、６、又は１０に記載の手術用ドレープ。
【請求項１２】
当該手術用ドレープの前記設置位置において前記ケーブル支持体を前記アーム又は前記メインカラムに接続するように構成された第２の取付け装置機構をさらに含む、請求項１１に記載の手術用ドレープ。
【請求項１３】
前記ケーブル支持体は、前記取付け装置機構を含む、請求項１１に記載の手術用ドレープ。
【請求項１４】
前記手術用ドレープと前記アーム又は前記メインカラムとの間に空間を提供するような形状に当該手術用ドレープを支持するように構成された可鍛性ストリップをさらに含む、請求項１に記載の手術用ドレープ。
【手続補正書】
【提出日】平成30年3月6日(2018.3.6)
【手続補正１】
【補正対象書類名】特許請求の範囲
【補正対象項目名】全文
【補正方法】変更
【補正の内容】
【特許請求の範囲】
【請求項１】
範囲内に配置される管腔並びに近位及び遠位領域を含むカテーテル本体部と、
前記カテーテル本体部の遠位領域において配置されたイメージングトランスデューサと、
長尺部材であって、前記長尺部材の遠位領域に配置され、前記カテーテル本体部の管腔内において移動可能であるように構成される処理要素を含む、長尺部材とを有し、
前記処理要素は、高強度超音波エネルギを供給するように構成される少なくとも一つのトランスデューサを有する、
イメージング及び処理デバイス。
【請求項２】
前記カテーテル本体部は、ガイドワイヤを受けるための第２の管腔を更に含む、請求項１に記載のイメージング及び処理デバイス。
【請求項３】
前記長尺部材は、前記カテーテルの管腔内で回転可能である、請求項１に記載のイメージング及び処理デバイス。
【請求項４】
前記長尺部材は、前記カテーテルの管腔内で摺動可能である、請求項１に記載のイメージング及び処理デバイス。
【請求項５】
前記イメージングトランスデューサは、光コヒーレンス断層撮影（ＯＣＴ；optical coherence tomography）又は血管内超音波（ＩＶＵＳ；intravascular ultrasound）のために構成される、請求項１に記載のイメージング及び処理デバイス。
【請求項６】
前記イメージングトランスデューサから信号を受信するように構成されるトランスポンダに信号を無線で送信し、及び／又は前記トランスポンダから信号を無線で受信するように更に構成される、請求項１に記載のイメージング及び処理デバイス。
【請求項７】
組織を処理するためのシステムであって、
カテーテルとコントローラとを有し、
前記カテーテルは、
範囲内に配置される管腔並びに近位及び遠位領域を有するカテーテル本体部と、
前記カテーテル本体部の前記遠位領域に配置されるイメージングトランスデューサと、
長尺部材であって、前記長尺部材の遠位領域に配置され、前記カテーテルの管腔内に摺動可能に配置されるように構成される処理要素を含む、長尺部材とを有し、
前記処理要素は、高強度超音波エネルギを供給するように構成される少なくとも一つのトランスデューサを有し、
前記コントローラは、
前記イメージングトランスデューサが画像データを取得することをもたらし、
前記データを受信し、
前記データを処理し、
前記処理要素からのエネルギを解放する、システム。
【請求項８】
前記カテーテル本体部は、ガイドワイヤを受けるための第２の管腔を更に含む、請求項７に記載のシステム。
【請求項９】
前記イメージングトランスデューサから信号を受信するように構成されるトランスポンダを更に有する、請求項７に記載のシステム。
【手続補正書】
【提出日】平成30年1月10日(2018.1.10)
【手続補正１】
【補正対象書類名】特許請求の範囲
【補正対象項目名】全文
【補正方法】変更
【補正の内容】
【特許請求の範囲】
【請求項１】
患者の潅流をモニタする方法において、
第１の電極を介して、前記患者の胸部にわたり印加される電圧のインジケーションを受信するステップと、
第２の電極を介して、前記印加される電圧から生じる前記患者の胸部にわたる電流の測定を受信するステップと、
前記印加される電圧及び前記測定される電流に基づき、インピーダンスベースの呼吸レート波形を生成するステップと、
前記患者の鼓動に対する前記呼吸レート波形のフーリエ変換を生成するステップと、
前記フーリエ変換において心臓アーチファクトを分離するステップと、
前記分離された心臓アーチファクトに基づき、前記患者の胸腔の潅流を示す潅流波形を生成するステップとを有する、方法。
【請求項２】
前記患者の心臓状態を評価するため、振幅における変化を特定することにより、前記潅流波形を分析するステップを更に有する、請求項１に記載の方法。
【請求項３】
前記潅流波形を分析するステップが、前記振幅における減少を特定するステップを含む、請求項２に記載の方法。
【請求項４】
前記振幅における減少が、所定の閾値を超えるとき、ユーザに対して警告信号を開始するステップを更に有する、請求項３に記載の方法。
【請求項５】
前記警告信号が、聴覚的信号及び視覚的信号のいずれかである、請求項４に記載の方法。
【請求項６】
前記フーリエ変換を生成するステップが、ＤＣ要素を除去するステップを含む、請求項１に記載の方法。
【請求項７】
前記潅流波形を生成するステップが、前記分離された心臓アーチファクトのフーリエ逆変換を行うステップを含む、請求項１に記載の方法。
【請求項８】
前記呼吸レート波形及び前記潅流波形の１つをメモリに格納するステップを更に有する、請求項１に記載の方法。
【請求項９】
前記潅流波形をディスプレイに表示するステップを更に有する、請求項１に記載の方法。
【請求項１０】
所定の時間ウィンドウにおける前記潅流波形の部分を表示するため、前記表示された潅流波形の部分を選択するステップを更に有する、請求項９に記載の方法。
【請求項１１】
患者の潅流をモニタするシステムであって、
前記患者の胸部にわたり電圧を印加する第１の電極と、
前記印加される電圧から生じる前記患者の胸部にわたる電流を測定する第２の電極と、
前記印加される電圧及び前記測定される電流に基づき、インピーダンスベースの呼吸レート波形を生成し、前記患者の鼓動に対する前記呼吸レート波形のフーリエ変換を生成し、前記フーリエ変換において心臓アーチファクトを分離し、及び前記分離された心臓アーチファクトに基づき、前記患者の胸腔の潅流を示す潅流波形を生成するプロセッサとを有する、システム。
【請求項１２】
前記プロセッサが、前記患者の心臓状態を評価するため、振幅における変化を特定することにより、前記潅流波形を分析する、請求項１１に記載のシステム。
【請求項１３】
前記プロセッサが、前記振幅における減少を特定することにより、前記潅流波形を分析する、請求項１２に記載のシステム。
【請求項１４】
前記振幅における減少が、所定の閾値を超えるとき、前記プロセッサが、ユーザに対して警告信号を開始する、請求項１３に記載のシステム。
【請求項１５】
プロセッサにより実行可能な一セットの命令を含む非一時的コンピュータ可読ストレージ媒体であって、前記一セットの命令が、プロセッサにより実行されるとき、前記プロセッサに、
第１の電極を介して、前記患者の胸部にわたり印加される電圧のインジケーションを受信するステップと、
第２の電極を介して、前記印加される電圧から生じる前記患者の胸部にわたる電流の測定を受信するステップと、
前記印加される電圧及び前記測定される電流に基づき、インピーダンスベースの呼吸レート波形を生成するステップと、
前記患者の鼓動に対する前記呼吸レート波形のフーリエ変換を生成するステップと、
前記フーリエ変換において心臓アーチファクトを分離するステップと、
前記分離された心臓アーチファクトに基づき、前記患者の胸腔の潅流を示す潅流波形を生成するステップとを含む処理を実行させる、非一時的コンピュータ可読ストレージ媒体。
【手続補正書】
【提出日】平成30年3月29日(2018.3.29)
【手続補正１】
【補正対象書類名】特許請求の範囲
【補正対象項目名】全文
【補正方法】変更
【補正の内容】
【特許請求の範囲】
【請求項１】
医療装置を少なくとも部分的にカプセル化するように構成される、複数の層を含む柔軟な平面ストリップを有する、センサ装置であって、当該ストリップが、
第一の誘電体層と、
前記第一の誘電体層上に堆積される導電性シールド層と、
前記導電性シールド層上に形成される第二の誘電体層と、
センサ電極、ハブ電極、及び当該センサ電極と当該ハブ電極を接続するトレースを含む、パターン化導電層とを含む、
センサ装置。
【請求項２】
前記センサ電極が圧電ポリマーと接触し、針が底部電極を形成するように、前記ストリップが当該圧電ポリマーコーティングを持つ針に巻き付く、請求項１に記載の装置。
【請求項３】
前記ストリップが前記装置の外周の少なくとも一部のまわりに形成される、請求項１に記載の装置。
【請求項４】
前記医療装置の上に前記ストリップのエッジを固定するように構成される固定機構をさらに有する、請求項３に記載の装置。
【請求項５】
前記導電性シールドと前記ハブ電極の近位端部を露出するように少なくとも前記第二の誘電体層が凹んでおり、前記導電性シールドと前記ハブ電極の近位端部が外部電気接続を可能にするように折り返される、請求項１に記載の装置。
【請求項６】
前記パターン化導電層上に形成される第三の誘電体層をさらに有する、請求項１に記載の装置。
【請求項７】
前記第一の誘電体層が前記医療装置の円周に等しい幅を持ち、前記ストリップの少なくとも一つの他の層が前記医療装置の円周未満の幅を持つ、請求項１に記載の装置。
【請求項８】
医療装置を少なくとも部分的にカプセル化するために当該医療装置にらせん状に巻き付くように構成される、複数の層を含む柔軟な平面ストリップを有する、センサ装置であって、当該ストリップが、
少なくとも一つの角度がついた端部を持ち、前記ストリップの長手方向寸法から横方向にのびる少なくとも一つのトングを含む、前記ストリップの第一の誘電体層と、
底部電極と、前記第一の誘電体層上に形成される当該底部電極に接続する底部電極トレースと、
前記底部電極上に形成される圧電層と、
上部電極と、前記圧電層上に形成される当該上部電極に接続する上部電極トレースとを含む、
センサ装置。
【請求項９】
前記ストリップが針のまわりに巻き付き、前記第一の誘電体層が当該針と接触する、請求項８に記載の装置。
【請求項１０】
前記ストリップに巻き付くように構成される細長い固定機構をさらに有し、当該固定機構がシールドと少なくとも一つの誘電体層を形成する導電体を含む、請求項９に記載の装置。
【請求項１１】
前記細長い固定機構がワイヤを含む、請求項１０に記載の装置。
【請求項１２】
前記ストリップが前記医療装置のまわりでらせん状になるときに前記トングが前記第一の誘電体層上で前記医療装置のまわりにリングを形成するように、前記少なくとも一つのトングが前記ストリップとの角度を含む、請求項８に記載の装置。
【請求項１３】
医療装置にセンサを適用するための方法であって、
誘電材料とセンサ部品を含む複数の層を持つ柔軟な平面ストリップを設けるステップと、
前記医療装置を少なくとも部分的にカプセル化するように前記医療装置に前記柔軟な平面ストリップを巻き付けるステップと、
前記医療装置上への前記ストリップの適用によって少なくとも一つのセンサ装置が前記医療装置上に設けられるように、前記ストリップの上の固定機構を用いて前記医療装置に前記ストリップを固定するステップと
を有する、方法において、
前記柔軟な平面ストリップを巻き付けるステップが、前記ストリップ上のセンサ電極が圧電ポリマーと接触して少なくとも一つのセンサを形成するように、当該圧電ポリマーコーティングを持つ針に前記柔軟な平面ストリップを巻き付けるステップを含む、方法。
【請求項１４】
医療装置にセンサを適用するための方法であって、
誘電材料とセンサ部品を含む複数の層を持つ柔軟な平面ストリップを設けるステップであって、前記ストリップが近位端部上に導電性シールドとハブ電極を含む、ステップと、
前記医療装置を少なくとも部分的にカプセル化するように前記医療装置に前記柔軟な平面ストリップを巻き付けるステップと、
前記医療装置上への前記ストリップの適用によって少なくとも一つのセンサ装置が前記医療装置上に設けられるように、前記ストリップの上の固定機構を用いて前記医療装置に前記ストリップを固定するステップと、
外部電気接続を可能にするように前記導電性シールドと前記ハブ電極を折り返すステップと
を有する、方法。
【請求項１５】
医療装置にセンサを適用するための方法であって、
誘電材料とセンサ部品を含む複数の層を持つ柔軟な平面ストリップを設けるステップと、
前記医療装置を少なくとも部分的にカプセル化するように前記医療装置に前記柔軟な平面ストリップを巻き付けるステップであって、前記医療装置に前記柔軟な平面ストリップを巻き付けるステップが、前記医療装置に前記柔軟な平面ストリップをらせん状に巻きつけるステップを含む、ステップと、
前記医療装置上への前記ストリップの適用によって少なくとも一つのセンサ装置が前記医療装置上に設けられるように、前記ストリップの上の固定機構を用いて前記医療装置に前記ストリップを固定するステップと
を有する、方法において、
前記柔軟な平面ストリップが、前記ストリップが前記医療装置のまわりでらせん状になるときにトングが前記医療装置のまわりにリングセンサを形成するように、前記ストリップと角度をなす少なくとも一つのトングを含む、方法。
【手続補正書】
【提出日】平成30年3月22日(2018.3.22)
【手続補正１】
【補正対象書類名】特許請求の範囲
【補正対象項目名】全文
【補正方法】変更
【補正の内容】
【特許請求の範囲】
【請求項１】
ユーザの心拍数ＨＲの変動を検出するためのシステムであって、
前記ユーザの心拍関連光信号を、第１の検出モードにおいて第１のサンプルレートで経時的に測定するための光検出ユニットと、
前記心拍関連光信号からＨＲ変動信号を導出するための処理ユニットと、
導出した前記ＨＲ変動信号を基準ＨＲ範囲と比較するための解析ユニットと、
前記第１の検出モードにおける前記ＨＲ変動信号が前記基準ＨＲ範囲内にないことを前記解析ユニットが検出した場合、前記光検出ユニットを制御して、前記光検出ユニットにより前記ユーザの光学的測定が既に行われた前記第１の検出モードから、前記第１の検出モードよりも高いサンプルレートに対応する第２のサンプルレートを有する第２の検出モードへと切り替えるための開始ユニットと、を有し、
前記開始ユニットは、前記第２の検出モードにおける前記ＨＲ変動信号が前記基準ＨＲ範囲内にないことを前記解析ユニットが検出した場合、前記ユーザのＥＣＧ信号を測定するためのプロセスを開始する、システム。
【請求項２】
前記開始ユニットは、前記導出したＨＲ変動信号が所定量を超えて前記基準ＨＲ範囲から逸脱する場合に、前記ＥＣＧ信号を測定するプロセスを開始する、請求項１に記載のシステム。
【請求項３】
前記所定量は、ユーザの人口統計学的情報、ユーザの病歴、ユーザの１つ以上の生理学的信号及びユーザが行っている活動の少なくとも１つに依存する、請求項２に記載のシステム。
【請求項４】
前記光検出ユニットは、１つ以上のフォトプレチスモグラフィＰＰＧセンサを有し、前記心拍関連光信号はＰＰＧ信号である、請求項１に記載のシステム。
【請求項５】
前記開始ユニットは、
ＥＣＧ測定を自動的に開始すること、
前記ＥＣＧ測定の記録を自動的に開始すること、
記録されている前記ＥＣＧ測定のデータにマークを付けること、
前記ユーザがＥＣＧユニットの電極に接続すべきことを前記ユーザに通知すること、
前記ＥＣＧ信号をグラフィカルユーザインタフェース要素に表示することの１つ以上を開始する、請求項１に記載のシステム。
【請求項６】
ユーザインタフェース要素をさらに有する、請求項１に記載のシステム。
【請求項７】
前記ユーザの心拍関連電気信号を測定する電気検出ユニットを有する、請求項１に記載のシステム。
【請求項８】
前記電気検出ユニットは、少なくとも第１の電極及び第２の電極を有する心電図ＥＣＧユニットであり、前記心拍関連電気信号はＥＣＧ信号である、請求項７に記載のシステム。
【請求項９】
前記ユーザの一方の手首又は腕に装着可能なハウジングを有する腕時計型デバイスを有する、請求項８に記載のシステム。
【請求項１０】
前記第１の電極は、前記ハウジングの第１の面に、前記ハウジングが装着された前記一方の手首又は腕に接触して配置され、前記第２の電極は、前記ハウジングの第２の面に配置されるか、接続手段を介して前記ハウジングに接続される、請求項９に記載のシステム。
【請求項１１】
前記デバイスは通信デバイスである、請求項１に記載のシステム。
【請求項１２】
ユーザの心拍数ＨＲの変動を検出するための方法であって、
前記ユーザの心拍関連光信号を、第１の検出モードにおいて第１のサンプルレートで光検出ユニットにより経時的に測定するステップと、
前記心拍関連光信号からＨＲ変動信号を導出するステップと、
導出した前記ＨＲ変動信号を基準ＨＲ範囲と比較するステップと、
前記第１の検出モードにおける前記ＨＲ変動信号の前記比較が前記基準ＨＲ範囲内にない場合、前記光検出ユニットにより前記ユーザの光学的測定が既に行われた前記第１の検出モードから、前記第１のサンプルレートよりも高いサンプルレートに対応する第２のサンプルレートを有する第２の検出モードへと切り替えるステップと、
前記第２の検出モードにおける前記ＨＲ変動信号が前記基準ＨＲ範囲内にない場合、前記ユーザのＥＣＧ信号を測定するためのプロセスを開始するステップと、を含む、方法。
【請求項１３】
コンピュータ上で実行された場合に、該コンピュータに請求項１２に記載の方法のステップを実行させるプログラムコード手段を有する、コンピュータプログラム。
【手続補正書】
【提出日】平成30年3月15日(2018.3.15)
【手続補正１】
【補正対象書類名】特許請求の範囲
【補正対象項目名】全文
【補正方法】変更
【補正の内容】
【特許請求の範囲】
【請求項１】
茶を入れるための器具であって、前記器具は、
（ａ）茶容器を有し、前記容器は、
（ｉ）蓋と、
（ｉｉ）茶を濾過すると共に／或いはフィルター濾しするストレーナと、
（ｉｉｉ）水蒸気を前記容器中に導入する水蒸気入口と、
（ｉｖ）液体を前記容器中に導入する液体入口と、
（ｖ）濾過された茶を前記容器から取り出す、前記容器の側部にある出口と、
（ｖｉ）前記濾過茶出口から再循環茶を受け入れる、前記容器の底部にある再循環入口とを有し、
（ｂ）前記容器の内容物を攪拌する攪拌機を有し、
（ｃ）ポンプを有し、前記ポンプは、
（ｉ）前記容器の前記濾過茶出口から濾過茶を受け入れるポンプ入口と、
（ｉｉ）前記再循環入口を通って再循環茶を前記容器中に上向きに戻すポンプ出口とを有し、
（ｄ）前記容器の前記濾過茶出口と前記ポンプの前記ポンプ入口を連結するラインを有し、前記ラインは、入れられた茶を小出しする小出し出口を有する、器具。
【請求項２】
前記水蒸気入口及び前記液体入口は、前記蓋に設けられている、請求項１記載の器具。
【請求項３】
前記容器中に延びる発熱体を更に有する、請求項１記載の器具。
【請求項４】
前記発熱体のための制御ユニットを更に有する、請求項３記載の器具。
【請求項５】
前記液体が前記液体入口を通って導入される前に前記液体を加熱する発熱体を更に有する、請求項１記載の器具。
【請求項６】
前記発熱体のための制御装置を更に有する、請求項５記載の器具。
【請求項７】
前記制御装置は、前記発熱体の温度を調節するためのレバー、ダイヤル、ノブ、スライダ、又は他のユーザインターフェースを有する、請求項６記載の器具。
【請求項８】
前記小出し出口は、弁を開閉するためのレバーによって作動される小出し弁を有する、請求項１記載の器具。
【請求項９】
前記容器は、透明なポリマー及び／又はガラス材料を含む、請求項１記載の器具。
【請求項１０】
前記ポンプの前記ポンプ出口と前記容器の前記再循環入口を連結する第２のラインを更に有する、請求項１記載の器具。
【請求項１１】
前記攪拌機は、電気機械式攪拌機である、請求項１記載の器具。
【請求項１２】
前記茶が浸されており、入れられており、又はいつでも小出しできる状態にあるときを示す信号を更に有する、請求項１記載の器具。
【請求項１３】
前記信号は、色が変わるＬＥＤ、又はデジタル、機械式、若しくは電気機械式ポインタである、請求項１２記載の器具。
【請求項１４】
前記ポンプは、容積移送式ポンプである、請求項１記載の器具。
【請求項１５】
前記蓋は、前記蓋を前記容器から取り外すためのハンドル又は他の人間工学的器具を更に有する、請求項１記載の器具。
【請求項１６】
前記器具は、信号をモバイル通信機器に送る送信機及び／又はモバイル通信機器から信号を受け取る受信機を更に有する、請求項１記載の器具。
【請求項１７】
前記モバイル通信機器に送られる前記信号は、茶入れ及び／又は茶浸しが開始したこと及び／又は完了していることを前記モバイル通信機器に知らせる、請求項１６記載の器具。
【請求項１８】
前記モバイル通信機器から受け取った前記信号は、茶入れ及び／又は茶浸しを開始することと共に／或いは停止することを前記茶入れ／茶浸し器具に知らせる、請求項１６記載の器具。
【請求項１９】
請求項１記載の器具を利用して茶を入れる方法であって、前記方法は、
（ａ）茶の葉を前記容器中に導入するステップと、
（ｂ）前記蓋を閉じるステップと、
（ｃ）水蒸気を前記容器中に導入するステップと、
（ｄ）高温液体を前記容器中に導入するステップと、
（ｅ）前記ストレーナを攪拌するステップと、
（ｆ）茶を前記器具中で再循環させるステップと、
（ｇ）茶を前記小出し出口から小出しするステップとを含む、方法。
【請求項２０】
前記ステップ（ｄ）の次に水蒸気を導入するステップを更に含む、請求項１９記載の方法。
【請求項２１】
前記器具は、前記容器中に延びる発熱体を更に有し、前記方法は、前記ステップ（ｄ）の後に前記容器内の前記液体を加熱するステップを更に含む、請求項１９記載の方法。
【請求項２２】
前記器具は、前記ステップ（ａ）〜前記ステップ（ｇ）のうちの任意のステップを実施した後、色が変わるＬＥＤを更に有する、請求項１９記載の方法。
【手続補正書】
【提出日】平成30年3月14日(2018.3.14)
【手続補正１】
【補正対象書類名】特許請求の範囲
【補正対象項目名】全文
【補正方法】変更
【補正の内容】
【特許請求の範囲】
【請求項１】
手術器具と器具キャリッジとを連結する器具無菌アダプタであって、  前記器具キャリッジの制御面の制御構成に亘り、前記手術器具の器具制御面を受ける、アダプタ制御面と、  該アダプタ制御面に連結される湾曲面とを含み、該湾曲面は、前記器具制御面にある対応する湾曲面を受ける、  器具無菌アダプタ。
【請求項２】
前記アダプタ制御面にある位置決めピンを更に含み、該位置決めピンは、前記器具制御面にある位置決めスロットと係合する、請求項１に記載の器具無菌アダプタ。
【請求項３】
前記アダプタ制御面にある位置決めスロットを更に含み、該位置決めスロットは、前記器具制御面にある位置決めピンと係合する、請求項１に記載の器具無菌アダプタ。
【請求項４】
前記アダプタ制御面にある複数の着床パッドを更に含み、該複数の着床パッドは、前記器具制御面を支持する、請求項１に記載の器具無菌アダプタ。
【請求項５】
前記アダプタ制御面にあるラッチアームを更に含み、該ラッチアームは、前記器具制御面にあるラッチレセプタクルと係合する、請求項１に記載の器具無菌アダプタ。
【請求項６】
前記湾曲面にある弾丸部分を更に含み、該弾丸部分は、前記器具制御面にある前記対応する湾曲面にある弾丸受け構成と係合する、請求項１乃至５のうちのいずれか１項に記載の器具無菌アダプタ。
【請求項７】
前記弾丸部分は、テーパ状の先導部分を更に含む、請求項６に記載の器具無菌アダプタ。
【請求項８】
手術器具と器具キャリッジとを連結する器具無菌アダプタであって、  前記手術器具を器具シャフトの第１の軸の周りで回転させ且つ前記器具シャフトの前記第１の軸に沿って軸方向に並進させる手段と、  前記手術器具を当該器具無菌アダプタの湾曲面の第２の軸の周りで更に回転させる手段とを含む、  器具無菌アダプタ。
【請求項９】
前記手術器具に適用されるトルクに反作用する手段を更に含む、請求項８に記載の器具無菌アダプタ。
【請求項１０】
前記手術器具の器具制御面を当該器具無菌アダプタのアダプタ制御面で支持する手段を更に含む、請求項８に記載の器具無菌アダプタ。
【請求項１１】
前記手術器具を当該器具無菌アダプタに掛止する手段を更に含む、請求項８に記載の器具無菌アダプタ。
【請求項１２】
当該器具無菌アダプタの前記湾曲面の前記第２の軸の周りの回転を制限する手段を更に含む、請求項８乃至１１のうちのいずれか１項に記載の器具無菌アダプタ。
【請求項１３】
前記手術器具を当該器具無菌アダプタの前記湾曲面の前記第２の軸の周りでの回転を制限する手段に誘導する手段を更に含む、請求項１２に記載の器具無菌アダプタ。
【手続補正書】
【提出日】平成30年2月26日(2018.2.26)
【手続補正１】
【補正対象書類名】特許請求の範囲
【補正対象項目名】全文
【補正方法】変更
【補正の内容】
【特許請求の範囲】
【請求項１】
感知ガイドワイヤであって、当該ガイドワイヤは、
内側部分、及び該内側部分を取り囲む外側部分を含むコア部材であって、前記内側部分は、第１の材料から形成され、前記外側部分は、第１の材料とは異なる第２の材料から形成される、コア部材と、
該コア部材を取り囲む単一の外層と、
前記コア部材の先端部分に結合される感知素子と、
前記単一の外層内に埋め込まれた少なくとも１つの通信線であって、該少なくとも１つの通信線及び前記コア部材は、前記単一の外層によって分離される、少なくとも１つの通信線と、を備え、
前記単一の外層は、前記コア部材と前記少なくとも１つの通信線との両方に直接的に接触し、前記感知素子は、前記少なくとも１つの通信線に通信可能に結合される、
ガイドワイヤ。
【請求項２】
前記感知素子は、圧力センサ及び流量センサのうちの少なくとも１つを含む、請求項１に記載のガイドワイヤ。
【請求項３】
前記単一の外層は、ポリマー外層を含む、請求項１に記載のガイドワイヤ。
【請求項４】
前記少なくとも１つの通信線は、導体及び光ファイバのうちの少なくとも１つを含む、請求項１に記載のガイドワイヤ。
【請求項５】
第１の材料は、ニチノール又は他のニッケルチタン合金である、請求項１に記載のガイドワイヤ。
【請求項６】
第２の材料は、ステンレス鋼又は高弾性合金である、請求項５に記載のガイドワイヤ。
【請求項７】
第１の材料は、ステンレス鋼である、請求項１に記載のガイドワイヤ。
【請求項８】
第２の材料は、ニチノールである、請求項７に記載のガイドワイヤ。
【請求項９】
前記ガイドワイヤは、約０．３５５６ミリメートル（ｍｍ）（０．０１４インチ）〜約０．９６５２ｍｍ（０．０３８インチ）の間の外径を有する、請求項１に記載のガイドワイヤ。
【請求項１０】
前記コア部材の前記内側部分は、約０．０２５４ｍｍ（０．００１インチ）〜約０．３０４８ｍｍ（０．０１２インチ）の間の外径を有する、請求項９に記載のガイドワイヤ。
【請求項１１】
前記コア部材の前記外側部分は、約０．０２５４ｍｍ（０．００１インチ）〜約０．１６５１ｍｍ（０．００６５インチ）の厚さを有する、請求項１０に記載のガイドワイヤ。
【請求項１２】
少なくとも前記外側部分が、前記コア部材の前記先端部分から除去される、請求項１に記載のガイドワイヤ。
【請求項１３】
前記感知素子は、前記コア部材の前記先端部分に結合されたハウジング内に位置付けされる、請求項１２に記載のガイドワイヤ。
【請求項１４】
前記ハウジングの基端側で前記コア部材の前記先端部分の周りに位置付けされる可撓性要素をさらに有する、請求項１３に記載のガイドワイヤ。
【請求項１５】
前記内側部分及び前記外側部分の直径は、実質的に等しい、請求項１３に記載のガイドワイヤ。
【請求項１６】
前記内側部分の直径は、前記外側部分の直径よりも大きい、請求項１３に記載のガイドワイヤ。
【請求項１７】
前記少なくとも１つの通信線は、複数の通信線を含み、該複数の通信線は、当該ガイドワイヤの周囲に実質的に等しい間隔を置いて配置される、請求項１に記載のガイドワイヤ。
【請求項１８】
前記単一の外層の一部が、前記コア部材の周囲全体及び前記少なくとも１つの通信線の周囲全体と直接的に接触する、請求項１に記載のガイドワイヤ。
【手続補正書】
【提出日】平成30年3月15日(2018.3.15)
【手続補正１】
【補正対象書類名】特許請求の範囲
【補正対象項目名】全文
【補正方法】変更
【補正の内容】
【特許請求の範囲】
【請求項１】
医療器具とともに用いられるダイレータであって、
ルーメンと、前記ルーメンと流体連通している遠位端開口と、を画定する管状部材と、
第一の内径を有する前記管状部材の近位領域と、
第二の内径を画定する増加した直径の部分であって、前記ダイレータの遠位端から近位方向に延在する増加した直径の部分を有する前記管状部材の遠位領域と、
を備え、
前記第二の内径は、前記増加した直径の部分に沿って実質的に一定であり、前記第一の内径より大きい
ダイレータ。
【請求項２】
前記増加した直径の部分の近位端における遠位領域マーカーをさらに備える、請求項１に記載のダイレータ。
【請求項３】
前記増加した直径の部分は、前記管状部材の外周方向に３６０度未満延在する、請求項１に記載のダイレータ。
【請求項４】
前記増加した直径の部分と前記ダイレータを通して挿入された医療器具のサイドポートとを位置合わせするための方位マーカーをさらに備える、請求項３に記載のダイレータ。
【請求項５】
−管状部材ルーメンと、前記管状部材ルーメンと流体連通している遠位端開口と、を画定する管状部材と、第一の内径を有する前記管状部材の近位領域と、
第二の内径を画定する増加した直径の部分を有する前記管状部材の遠位領域であって、前記増加した直径の部分が、前記管状部材の遠位端から近位方向に延在し、前記第二の内径が、前記第一の内径よりも大きい、前記管状部材の前記遠位領域と、
−閉じた遠位端を有する医療器具であって、前記医療器具は、器具ルーメンと、前記器具ルーメンと流体連通している少なくとも一つのサイドポートと、を画定し、前記医療器具は、前記少なくとも一つのサイドポートから前記医療器具の遠位端へ延在する遠位部分を画定する医療器具と、
を含み、
−前記医療器具と管状部材とは、前記医療器具が前記管状部材ルーメン内に挿入されたとき、前記医療器具の前記遠位部分の外表面と前記管状部材の前記増加した直径の部分の内表面との間で協同的に管路を形成するように構成され、前記管路は、前記サイドポートと前記遠位端開口の外の環境との間の流体連通を可能にするために、少なくとも前記サイドポートと前記遠位端開口との間に形成される
キット。
【請求項６】
前記医療器具と前記管状部材とは、前記管状部材ルーメン内で前記医療器具を位置合わせして前記管路を形成するための対応マーカーをさらに備える、請求項５に記載のキット。
【請求項７】
−管状部材ルーメンと、前記管状部材ルーメンと流体連通している遠位端開口と、を画定する管状部材と、第一の内径を有する前記管状部材の近位領域と、
第二の内径を画定する増加した直径の部分を有する前記管状部材の遠位領域であって、前記増加した直径の部分が、前記管状部材の遠位端から近位方向に延在し、前記第二の内径が、前記第一の内径よりも大きい、前記管状部材の前記遠位領域と、
−前記管状部材ルーメン内に配置された医療器具であって、前記医療器具は、閉じた遠位端を有し、前記医療器具は、器具ルーメンと、前記器具ルーメンと流体連通している少なくとも一つのサイドポートと、を画定し、前記医療器具は、前記少なくとも一つのサイドポートから前記医療器具の遠位端へ延在する遠位部分を画定する医療器具と、
−前記医療器具の前記遠位部分の外表面と前記管状部材の前記増加した直径の部分の内表面との間で画定される管路であって、前記サイドポートと前記遠位端開口の外の環境との間の流体連通を可能にするために少なくとも前記サイドポートと前記遠位端開口との間に形成された管路と、
を含む装置。
【請求項８】
前記医療器具は、電極を有する遠位先端を備える、請求項５に記載のキット。
【請求項９】
前記医療器具は、近位部分を更に備え、前記近位部分と前記遠位部分と間で直径の離散的な変化を確定し、前記少なくとも一つのサイドポートは、前記直径の離散的な変化の直近にあり、それによって前記近位部分は、前記管状部材が前記少なくとも一つのサイドポートを妨げないようにするために、前記医療器具が前記管状部材を通して挿入されるときに前記管状部材を支持するように動作可能である、請求項５に記載のキット。
【請求項１０】
前記医療器具は、前記管状部材内に配置され、前記装置は、組織と実質的に隣接して配置され、前記少なくとも一つのサイドポートを介し、前記管状部材の前記遠位端開口を通して流体を供給して前記組織を染色するように動作可能である、請求項７に記載の装置。